(57)【要約】【課題】引き戸形式の扉構造であって、他の扉を移動させることなく目的とする扉の位置を任意に変えることができる扉構造を提供する。【解決手段】  家屋や収納家具等の開口部に設ける複数枚の扉1a、1bからなる引き戸形式の扉構造であって、少なくとも扉1a、1bの厚さの２倍以上の幅を有する案内溝３を設けた敷居及び鴨居を有し、扉の上端及び／又は下端の側面に若しくは該案内溝の側面に扉1a、1bを案内溝３内に保持するための板バネ2a、2b等の保持手段を備えてなるフラット扉。【選択図】図１１
2008133695.tif 000002
【特許請求の範囲】
【請求項１】
家屋や収納家具等の開口部に設ける複数枚の扉からなる引き戸形式の扉構造であって、少なくとも扉の厚さの２倍以上の幅を有する案内溝を設けた敷居及び鴨居を有し、扉の上端及び／又は下端の側面に若しくは該案内溝の側面に扉を案内溝内に保持するための保持手段を備えてなるフラット扉。
【請求項２】
保持手段が、扉の上端及び／又は下端の側面に装着されて、扉の上端及び／又は下端を敷居及び鴨居の案内溝の溝幅方向側面に押圧できる弾性部材である請求項１記載のフラット扉。
【請求項３】
弾性部材が、弓状板バネである請求項２記載のフラット扉。
【請求項４】
弾性部材が、コイルバネ（スプリング）で、バネの頂部に当接部材を備えたものである請求項２記載のフラット扉。
【請求項５】
弾性部材が、山形ゴム（発泡体入り）等のゴム又はプラスチックの弾性体である請求項２記載のフラット扉。
【請求項６】
保持手段が、磁石の反発力又は吸引力によるものである請求項１記載のフラット扉。
【請求項７】
保持手段を鴨居及び敷居の案内溝の内側面に設けてなる請求項１記載のフラット扉。
【請求項８】
扉を摺動させるための案内溝を有する端面凹型の樋状で、該溝内の側面に板バネ等の弾性部材を備えた嵌合部材を鴨居及び敷居に嵌め込んでなる請求項１記載のフラット扉。
【発明の詳細な説明】
【技術分野】
【０００１】
本発明は、主に家具等の収納部材に用いられる引き戸形式の扉であって、閉じたときに扉同士が前後して扉の厚さによる段差を生じることのない平らな閉鎖面を示すフラット扉に関するものである。
【背景技術】
【０００２】
収納家具等の開口部に設ける扉において、引き戸式の扉を用いる場合がある。従来の引き戸式の扉は、例えば扉が２枚の場合には、鴨居と敷居にそれぞれ扉のための案内溝を２本設けて、それぞれ一つの案内溝に一つの扉を入れて各扉を個別に移動させて扉を開閉する方式である。そのため、開口部の幅中央部分に扉が重なる部分（召し合わせ）が生じてしまう。この重なる部分があるので、開口時の有効幅は全幅の１／２未満となっている。このため収納物の出し入れに不便を生じることもあった。
また、この前の扉と後の扉が重なる部分では扉の厚さの分の段差を生じるので、収納家具のデザインに制約が生ずることもあった。更に、手前の扉が移動すると敷居や鴨居の一部が露出してしまうので、これもデザイン上の制約となっていた。
【０００３】
これらの問題は、単純な洋式ドアのような開き戸とすれば容易に解決が可能ではあるものの、住宅内部が決して広くないわが国においては、引き戸式にて解決する必要がある場合も多々あるため、各種方法が検討されている。その一つの解決法が、扉の重なった部分をなくす為に、扉を横に一列に並べて段差をなくしてしまう方法である。以後、扉を閉めたときに、雨戸を閉めたときのように、閉鎖表面に段差が無く扉が一列に並んだ形で閉まる扉形式を「フラット扉」と称することとする。
【０００４】
フラット扉において、閉鎖した状態での段差をなくす方法としては、古くは住宅の雨戸に見ることができる。この方法では、家屋の開口部を閉鎖する場合は、戸袋に複数枚重ねて収納された雨戸を順次繰り出して１本溝の敷居上を移動させて閉鎖する。
しかし、雨戸方式では開閉時に任意の一枚だけを簡単に移動させることができないので、任意の一枚だけを開閉することができない。また、開口部の左右いずれかに戸袋を設ける部分が無い限り、この雨戸方式を収納家具に採用はできない。
【０００５】
このほか、特許文献１及び２に示されるように、複数のレールを設置して、一方の扉が他方の扉の表面側にせり出して、重なり合うように移動して戸口を開く扉が「フラット扉」として収納庫などの入り口に使用されている。しかし、この方式の扉は複数のレールを必要とし、且つ、雨戸の場合と同様に他の扉を飛び越えて移動させることができないなどの不具合を有する。
【特許文献１】特公昭３８−２５６４３号公報
【特許文献２】特開昭５９−２０３１７５号公報
【発明の開示】
【発明が解決しようとする課題】
【０００６】
本発明は、家屋内の間仕切りや収納家具などの開口部や戸口に設けることができる引き戸形式の扉で、複数枚の扉を閉じたとき、扉同士の間で段差が生じることが無く、また、複数枚の扉で開口部を閉じた場合において、そのうちの扉の少なくとも一つを任意の位置に並べ替えることができるようにした扉構造を提供しようとするものである。
【課題を解決するための手段】
【０００７】
本発明は、家屋や収納家具等の開口部に設ける複数枚の扉からなる引き戸形式の扉構造であって、少なくとも扉の厚さの２倍以上の幅を有する案内溝を設けた敷居及び鴨居を有し、扉の上端及び／又は下端の側面に若しくは案内溝の側面に扉を案内溝内に保持するための保持手段を備えてなるフラット扉に関するものである。
本発明における扉を案内溝内に保持するための保持手段としては、扉を案内溝の溝幅方向に押圧できる弾性部材、例えば、弓状板バネや弾力性のあるプラスチック発泡体などがあり、また、磁力による付勢手段などがある。保持手段は扉の上部又は下部の側面に設けるか、又は、案内溝の内側面に設ける。
【発明の効果】
【０００８】
本発明のフラット扉は、扉を閉じたとき、２以上の複数枚の扉は、扉の厚さの少なくとも２倍以上の幅を有する案内溝内に、案内溝の幅方向（側壁方向）に押圧された状態で一列に並べることができ、全ての扉が一方向、例えば、開口部の前面方向に押された状態で案内溝内に並ぶため、扉同士で段差が生じることが無く平らな閉鎖面が得られる。扉を開くときは、扉の厚さの分だけ扉を後方に押し下げて隣の扉の背面に押し込むことによって行うため、任意の位置の扉を開くことができ、また、扉の配列の順序を任意に変えることができる。
本発明は、敷居・鴨居に設ける溝が１本であるため加工が容易であり、左右両開きができるため、設計上の制約が少ないなどの利点をも有する。
【発明を実施するための最良の形態】
【０００９】
本発明において、少なくとも扉の厚さの２倍以上ある溝幅の案内溝内に扉を保持するには扉が案内溝の溝幅方向の一側面に押圧された状態とする。このようにするための扉の保持手段の一つとしては、扉の上部又は下部の側面に弾性部材を装着して扉が案内溝の一側面に押圧された状態とする。押圧手段としては、弓状板バネや弾力性のあるプラスチック等が使用できる。
扉の弾性部材等を装着する部分には切欠き段部を設けて、弾性部材等が圧縮されたとき扉の厚さ内に納まるようにすると良い。この切欠き段部は、扉の全幅に亘って設けるが、弾性部材の装着部分のみとしても良い。
また、案内溝内の側面に弓状板バネ等の弾性部材を設けても良い。このほか、磁石等を装着して磁力による反発力を用いることもできる。
以下に本発明の実施例いくつかを示すが、本発明の趣旨はこれらに限定されるものではない。
【実施例】
【００１０】
図１は、扉１の上下の側面に弓状板バネ２を装着した扉の例を示す斜視図である。図１（ａ）は扉１に切込み１２を設け、板バネ２の一端を該切込み１２に挿入して固定した例であり、図１（ｂ）は板バネ２の一端をボルト２１で固定した例である。扉１の上下には、弓状板バネ２が圧縮されたときに板バネ２の頂面が扉本体の厚さ内にあるようにするために切欠き段部１１が設けられている。
図２は、図１の扉１を案内溝３を設けた敷居４に装着した状態を示す斜視図である。１３は床板、１４はフロアボードを示す。
図３は、弓状板バネ２が圧縮されない状態で扉１に取り付けられている状態を示す平面図で、ｔは扉１の厚さを示し、α＋ｔは案内溝の溝幅、αは板バネ２の高さを示す。図４は板バネ２が圧縮されて扉の段部１１内にある状態を示す。
図５は、板バネ２の装着方法の一例を示す図で、切込み１２を通して扉１の背面に板バネ２の一部が固定されている状態を示す。
【００１１】
図６及び図７は、扉１を敷居４に装着した状態を示す断面図で、図６は扉が閉じた状態であるため扉１ａが一枚で板バネ２ａが十分に拡張した状態を示す。図７は扉を開けた状態の図で、扉１ｂが扉１ａの背面に位置している状態を示す。それぞれの板バネ２ａ、２ｂは圧縮され、バネ２ａの頂部は扉１ｂの側面に接して扉１ａを保持する。図中、１５は扉の摺動を良くするためと扉の磨耗を避けるために扉１に貼付けられた耐摩耗性シートを示す。耐摩耗性シートは必要に応じて使用され、例えば、テフロン（登録商標）粘着テープなどを用いることができる。
図８及び図９は板バネ２を装着した扉１を示す斜視図で、図８は正面を示し、図９は背面を示す。
【００１２】
図１０〜図１３は、本発明のフラット扉の開閉方法を示す模式図で、図１０は閉じた状態を示し、図１３は開いた状態を示す。図１０に示すように、扉１ａ、１ｂの板バネ２ａ、２ｂの頂部は案内溝３の側面に接してそれぞれの扉を保持している。扉を開くときは、図１１に矢印Ａで示すように扉１ｂの一端を扉の背面方向に押して板バネ２ｂを圧縮させ、扉１ｂの一端を扉１ａの背面に押し込み、矢印Ｂ方向に押して（図１２参照）、図１３に示すように扉１ａの背面に扉１ｂを重ねて扉を開いた状態とする。開いた扉を閉じるときは、上記の操作を逆に行ってもよいが、扉１ａを図中の左方向に移動して行っても良い。
本実施例では扉が２枚の場合について説明しているが、２枚以上であってもよく、移動させる扉１ｂは扉１ａの背面に限らず、図示しない扉１ａの更に隣にある扉１ｃ、１ｄ・・・の背面へと移動させることができる。
【００１３】
図１４〜図１６は、板バネ２の取り付け方の他の例を示す図で、図１４は板バネ２の一端を扉１の切り込み１２に固定した例を示し、図１５は板バネ２の両端を固定した例であり、図１６は一つの扉１に板バネ２を２個設けた例である。板バネを多数設けることによって、扉を背面に押すときの力を小さなものとすることができる。
【００１４】
図１７〜図１９は、案内溝３の溝幅を扉１の厚さの３倍の広さとした例で、扉１ａ、１ｂ、１ｃの移動方法は前記図１０〜図１３の場合と同様に行うことによって家具等の開口部の扉の開閉を行うことができる。
従来の引き戸３枚の場合には扉が重なる召し合わせ部分が２箇所必要であるが、本実施例の場合はこの召し合わせ部が無いため開口部が十分に利用できる利点を有する。
【００１５】
図２０は、弾性部材の他の例で、発泡プラスチックや発泡ゴム等の弾力性のある発泡体やゴム等を所定の形状、例えば山形や半円盤状に成型した弾性体５を扉の保持手段として使用する例である。
この種の弾性体としては、一体型のものでなくても、例えば、発泡プラスチックとゴムとの積層体など、表面は平滑なシリコーン等の層を設けて開閉時に支障が無いようにし、復元性を高めるために内部に発泡体（ポリエチレンフォーム、ウレタンフォーム等）の層を設けたものとするなど、所要の弾性力を有するものであれば使用できる。図２１はその一例で、弾性体５を適当な大きさの半円盤状に形成し、両端をビス６等で扉に固定できるようにしたものの例である。
【００１６】
図２２〜図２４は、弾性部材としてコイルバネ７を用いた例である。図２２は、案内溝の側面に当接する面にプラスチック又は金属製の板材８を配し、裏面にコイルバネ（スプリング）７を装着したものである。図２３及び図２４は、案内溝への当接部材として発泡プラスチックどの弾性体を用い、スプリング７と併用して所要の弾性力と収縮性が得られるようにしたものの例である。図２３は、当接部材９が扉１の幅とほぼ同じとした例であり、図２４は当接部材１０を半球型として扉１に２個設けた例である。
図２５は、保持手段として磁力を用いた例で、扉１と案内溝３の側面（例えば敷居４の側面）にそれぞれ磁石３１を埋設して磁石３１の反発力又は吸引力で扉１を溝３内に保持する。図２５（Ａ）は磁石３１の反発力を利用する例で、図２５（Ｂ）は磁石の吸引力を利用する例である。図中に矢印で示すように扉１をその背面側に押して移動させる。
【００１７】
図２６〜２８は、扉に保持手段を設けるのではなく、案内溝内に設ける方式の例を示す。
図２６は、案内溝３を形成させた端面凹形の樋状の部材で、溝３内の側面の位置に弓状板バネ４１を設けた嵌合部材４０の例である。この嵌合部材４０は、例えばステンレス鋼などの金属板で作られ、図示するように上面が開口した樋状で、使用に際しては、図２６（ｂ）に示すように、敷居４の溝３ａ内に嵌め込んで敷居として使用する。同様に鴨居の溝に嵌め込んで使用する。
この嵌合部材によるときは、扉に段部を設けるだけでよく、板バネ４１は嵌合部材４０に一体的に作られているので、敷居や鴨居の溝に嵌め込むだけで容易に弓状板バネを装着でき、実施も容易である。
【００１８】
図２７は、嵌合部材４０の板バネ４１を示す一部欠損斜視図である。嵌合部材４０は、敷居や鴨居の長さと同じ長さとし、側面に設ける板バネ４１は任意の数設けることができる。図２８は板バネ４１の製法の一例を示す図で、嵌合部材４０の側面となる部分に切込み41ａの形状に打ち抜き、この切込み41ａを図２８（ｂ）に示すように弓状に曲げて板バネ４１とする。この板バネ４１は一端が嵌合部材４０に接続しており、打ち抜き形状を板バネ４１の先端に係止部４２を設けてこの係止部４２が案内溝３の外側にあるようにすることにより、扉の移動時に板バネの先端や末端が扉の移動を妨げる恐れもない。
図２９は敷居と鴨居の案内溝３の内側面に板バネ２（４１）を設けた例を示す平面図である。
案内溝に扉の保持手段を設けた場合には、扉を大きく加工する必要がないため、美術館や博物館等の展示用ガラス扉などにも利用することができる。
【図面の簡単な説明】
【００１９】
【図１】本発明の扉を示す斜視図である。
【図２】本発明の扉を敷居に配置した状態を示す斜視図である。
【図３】扉に弓状板バネを設けた状態を示す平面図である。
【図４】弓状板バネが圧縮された状態を示す平面図である。
【図５】弓状板バネの取り付け方法の一例を示す一部破談斜視図である。
【図６】本発明の扉と板バネと敷居との関係を示す断面図である。
【図７】開いたときの扉と板バネと敷居との関係を示す断面図である。
【図８】扉の正面の一例を示す斜視図である。
【図９】扉の背面の一例を示す斜視図である。
【図１０】扉を閉じた状態を示す模式図である。
【図１１】扉を開く方法を示す模式図である。
【図１２】扉を移動させる方法を示す模式図である。
【図１３】扉を開いた状態を示す模式図である。
【図１４】弓状板バネの取り付け方法の一例を示す平面図である。
【図１５】弓状板バネの取り付け方法の他の例を示す平面図である。
【図１６】２個の弓状板バネを取付けた扉の例を示す平面図である。
【図１７】３枚の扉による本発明の実施例を示す模式図である。
【図１８】３枚の扉を開く方法を示す模式図である。
【図１９】扉を開いた状態の他の例を示す模式図である。
【図２０】扉にゴム等の弾性部材を装着した例を示す平面図である。
【図２１】ゴム等の弾性部材の一例を示す斜視図である。
【図２２】扉にスプリングで支持された当接部材を装着した例を示す平面図である。
【図２３】スプリングで支持された当接部材を装着した他の例を示す平面図である。
【図２４】スプリングで支持された当接部材を装着した別の例を示す平面図である。
【図２５】扉の保持部材として磁石を用いた例を示す模式図である。
【図２６】敷居等への嵌合部材の一例を示す斜視図である。
【図２７】嵌合部材の弓状板バネの一例を示す斜視図である。
【図２８】嵌合部材の弓状板バネの形成方法を示す模式図である。
【図２９】案内溝の内側面に板バネを設けた例を示す平面図である。
【符号の説明】
【００２０】
１  扉、
１１  扉の段部、
２  弓状板バネ、
３  案内溝、
４  敷居
【図１】
2008133695.tif 000003
【図２】
2008133695.tif 000004
【図３】
2008133695.tif 000005
【図４】
2008133695.tif 000006
【図５】
2008133695.tif 000007
【図６】
2008133695.tif 000008
【図７】
2008133695.tif 000009
【図８】
2008133695.tif 000010
【図９】
2008133695.tif 000011
【図１０】
2008133695.tif 000012
【図１１】
2008133695.tif 000013
【図１２】
2008133695.tif 000014
【図１３】
2008133695.tif 000015
【図１４】
2008133695.tif 000016
【図１５】
2008133695.tif 000017
【図１６】
2008133695.tif 000018
【図１７】
2008133695.tif 000019
【図１８】
2008133695.tif 000020
【図１９】
2008133695.tif 000021
【図２０】
2008133695.tif 000022
【図２１】
2008133695.tif 000023
【図２２】
2008133695.tif 000024
【図２３】
2008133695.tif 000025
【図２４】
2008133695.tif 000026
【図２５】
2008133695.tif 000027
【図２６】
2008133695.tif 000028
【図２７】
2008133695.tif 000029
【図２８】
2008133695.tif 000030
【図２９】
2008133695.tif 000031